(57)【要約】【課題】各都道府県の警察等が公開している交通取締情報に基づき、安全運転を心がけるべき具体的な地点をドライバーに通知することが可能な技術を提供すること。【解決手段】交通取締活動が行われるエリアである取締対象エリアに関する取締予定情報を取得する取得部（２２）と、現在位置を検出する検出部（３２）と、現在位置から所定の範囲内に含まれる取締対象エリア又は出発地から目的地までの道路上に含まれる取締対象エリアにおいて、地図データに含まれる地点であって安全運転を促すメッセージを出力すべき地点を示す１以上の通知地点を抽出し、現在位置と１以上の通知地点のうちいずれかの通知地点との間の距離が所定の距離まで近づいた場合に、安全運転を促すメッセージを出力する制御部（２３、３３）と、を有する情報出力システムを提供する。【選択図】図１
2018165695.tif 000002
【特許請求の範囲】
【請求項１】
交通取締活動が行われるエリアである取締対象エリアに関する取締予定情報を取得する取得部と、
現在位置を検出する検出部と、
前記現在位置から所定の範囲内に含まれる前記取締対象エリア又は出発地から目的地までの道路上に含まれる前記取締対象エリアにおいて、地図データに含まれる地点であって安全運転を促すメッセージを出力すべき地点を示す１以上の通知地点を抽出し、前記現在位置と前記１以上の通知地点のうちいずれかの通知地点との間の距離が所定の距離まで近づいた場合に、安全運転を促すメッセージを出力する制御部と、
を有する情報出力システム。
【請求項２】
前記制御部は、前記取締対象エリアにおいて実施される交通取締活動の取締種別が、地図データにおいて、安全運転を促すメッセージを出力すべき地点を特定可能な種別であるか否かの判定を行い、特定可能な種別であると判定した場合に前記１以上の通知地点を抽出し、特定可能な種別ではないと判定した場合には前記１以上の通知地点を抽出しない、
請求項１に記載の情報出力システム。
【請求項３】
前記制御部は、地図データから通知地点の候補を検索し、検索した通知地点の候補のうち、前記取締対象エリアにおいて実施される交通取締活動の取締種別に対応づけられる通知地点の種別に該当する通知地点の候補を、前記１以上の通知地点として抽出する、
請求項１又は２に記載の情報出力システム。
【請求項４】
前記検出部は、更に、進行方向を検出し、
前記制御部は、通知地点が存在する道路上の進行方向と、前記検出部で検出された進行方向とが一致する場合に、安全運転を促すメッセージを出力する、
請求項１から３のいずれか一項に記載の情報出力システム。
【請求項５】
前記制御部は、前記１以上の通知地点の中において特定の距離内に複数の通知地点が存在する場合、該複数の通知地点に対して、安全運転を促すメッセージをまとめて出力する、
請求項１から４のいずれか一項に記載の情報出力システム。
【請求項６】
前記所定の距離は、走行中であると判定される道路の種別、走行中であると判定される道路の最高速度、又は、走行速度に応じて予め定められている、
請求項１から５のいずれか一項に記載の情報出力システム。
【請求項７】
交通取締活動が行われるエリアである取締対象エリアに関する取締予定情報を取得するステップと、
現在位置を検出するステップと、
前記現在位置から所定の範囲内に含まれる前記取締対象エリア又は出発地から目的地までの道路上に含まれる前記取締対象エリアにおいて、地図データに含まれる地点であって安全運転を促すメッセージを出力すべき地点を示す１以上の通知地点を抽出し、前記現在位置と前記１以上の通知地点のうちいずれかの通知地点との間の距離が所定の距離まで近づいた場合に、安全運転を促すメッセージを出力するステップと、
を有する情報出力方法。
【発明の詳細な説明】
【技術分野】
【０００１】
本発明は、情報出力システム及び情報出力方法に関する。
【背景技術】
【０００２】
現在、交通安全を目的として、交通取締を行う日時、取締内容及び取締エリアに関する情報が各都道府県の警察等のホームページ等で公開されている。また、これらの公開情報を取得してドライバーに通知する装置に関する技術として、例えば特許文献１に記載の技術が知られている。
【先行技術文献】
【特許文献】
【０００３】
【特許文献１】特開２０１５−１１４７５２
【発明の概要】
【発明が解決しようとする課題】
【０００４】
各都道府県の警察等が公開している交通取締情報では、市区町村単位など大まかな粒度で取締エリアが指定される場合が多い。このような大まかな粒度での取締エリアをドライバーに通知したとしても、ドライバーにとっては常に安全運転を促されているような状態になってしまい、取締エリアの通知が殆ど意味を持たない可能性があった。
【０００５】
そこで、市区町村単位など大まかな粒度で取締エリアをドライバーに通知するのではなく、安全運転を心がけるべき具体的な地点をドライバーに通知することができれば、安全運転の促進に有効であると考えられる。
【０００６】
本発明は上記に鑑みてなされたものであって、各都道府県の警察等が公開している交通取締情報に基づき、安全運転を心がけるべき具体的な地点をドライバーに通知することが可能な技術を提供することを目的とする。
【課題を解決するための手段】
【０００７】
本発明の一態様に係る情報出力システムは、交通取締活動が行われるエリアである取締対象エリアに関する取締予定情報を取得する取得部と、現在位置を検出する検出部と、現在位置から所定の範囲内に含まれる取締対象エリア又は出発地から目的地までの道路上に含まれる取締対象エリアにおいて、地図データに含まれる地点であって安全運転を促すメッセージを出力すべき地点を示す１以上の通知地点を抽出し、現在位置と１以上の通知地点のうちいずれかの通知地点との間の距離が所定の距離まで近づいた場合に、安全運転を促すメッセージを出力する制御部と、を有する。
【０００８】
本発明の他の態様に係る情報出力方法は、交通取締活動が行われるエリアである取締対象エリアに関する取締予定情報を取得するステップと、現在位置を検出するステップと、現在位置から所定の範囲内に含まれる取締対象エリア又は出発地から目的地までの道路上に含まれる取締対象エリアにおいて、地図データに含まれる地点であって安全運転を促すメッセージを出力すべき地点を示す１以上の通知地点を抽出し、現在位置と１以上の通知地点のうちいずれかの通知地点との間の距離が所定の距離まで近づいた場合に、安全運転を促すメッセージを出力するステップと、を有する。
【発明の効果】
【０００９】
本発明によれば、各都道府県の警察等が公開している交通取締情報に基づき、安全運転を心がけるべき具体的な地点をドライバーに通知することが可能な技術を提供することができる。
【図面の簡単な説明】
【００１０】
【図１】本実施形態に係るシステムの構成例を示す図である。
【図２】制御装置の機能ブロック構成の一例を示す図である。
【図３】取締予定情報の一例を示す図である。
【図４】抽出設定情報の一例を示す図である。
【図５】出力装置の機能ブロック構成の一例を示す図である。
【図６】制御装置が行う処理手順（ルート案内無し）の一例を示すフローチャートである。
【図７】出力装置が行う処理手順（ルート案内無し）の一例を示すフローチャートである。
【図８】制御装置が行う処理手順（ルート案内有り）の一例を示すフローチャートである。
【発明を実施するための形態】
【００１１】
添付図面を参照して、本発明の好適な実施形態について説明する。（なお、各図において、同一の符号を付したものは、同一又は同様の構成を有する。）
＜システム構成＞
図１は、本実施形態に係るシステムの構成例を示す図である。本実施形態に係るシステムは、取締情報提供装置１０、制御装置２０及び出力装置３０を含む。取締情報提供装置１０、制御装置２０及び出力装置３０は、無線又は有線の通信ネットワークＮを介して相互に通信可能なように接続されている。
【００１２】
取締情報提供装置１０及び制御装置２０は、例えば、サーバ等の装置であり、プロセッサ、メモリ及び記憶装置を含んで構成される。出力装置３０は、利用者（ドライバー）が使用する装置であり、ドライバーに対して各種の情報を通知することができる。出力装置３０は、例えば、スマートフォン又はタブレット端末等のように、利用者が運転中に携帯可能な携帯型端末であってもよいし、自動車又は二輪等に搭載可能なカーナビゲーション装置等であってもよい。
【００１３】
取締情報提供装置１０は、例えば、ｘ月ｘ日にｘｘ市で速度取締を行うといったように、警察が行う交通取締活動の取締対象エリア、取締種別（例えば、速度違反取締、シートベルト取締等）及び取締日時に関する情報（以下、「取締予定情報」と言う。）を公開する装置である。取締情報提供装置１０は、警視庁又は県警等のホームページを公開するＷｅｂサーバであってもよいし、これらのＷｅｂサーバにて公開されている公開取締り情報を収集して第三者が利用しやすいフォーマットに変換した情報を公開するサーバであってもよい。
【００１４】
制御装置２０は、取締情報提供装置１０から取締予定情報を収集し、出力装置３０の現在位置から所定の範囲内に含まれる取締対象エリア、又は、出発地から目的地までの道路上に含まれる取締エリアにおいて、地図データに含まれる地点であって安全運転を促すメッセージを出力すべき地点を示す１以上の地点（以下、「通知地点」と言う。）を抽出する機能を有する装置である。通知地点とは、具体的には、地図データに含まれる信号機設置地点、一時停止地点、右折禁止地点などである。また、制御装置２０は、抽出した通知地点を出力装置３０に通知する。
【００１５】
出力装置３０は、利用者の移動に伴って移動し、ＧＰＳ等を用いて検出した現在位置と、出力装置３０から通知された１以上の通知地点のうちいずれかの通知地点との間の距離が所定の距離まで近づいた場合（例えば、通知地点の３０ｍ手前等）に、安全運転を促すメッセージを利用者に出力する機能を有する装置である。
【００１６】
制御装置２０及び出力装置３０は、１つの情報処理装置からなる情報出力システムとして構成されていてもよいし、それぞれ独立した１又は複数の情報処理装置からなる情報出力システムとして構成されていてもよい。
【００１７】
また、制御装置２０及び出力装置３０が一体となってナビゲーション装置として動作するようにしてもよい。この場合、現在位置の検出及びナビゲーション画面の表示を出力装置３０側で行い、ルート検索等の処理を制御装置２０側で行うようにしてもよい。また、これに限定されず、現在位置の検出、ナビゲーション画面の表示及びルート検索等の処理を全て出力装置３０側で行うようにしてもよい。
【００１８】
＜機能ブロック構成＞
図２は、制御装置２０の機能ブロック構成の一例を示す図である。本実施形態に係る制御装置２０は、通信部２１と、取得部２２と、抽出部２３と、検索部２４とを含む。通信部２１と、取得部２２と、抽出部２３と、検索部２４とは、制御装置２０においてメモリに記憶されているプログラムをプロセッサが実行することにより実現される。
【００１９】
通信部２１は、通信ネットワークＮを介して取締情報提供装置１０及び出力装置３０と相互に通信を行う機能を有する。
【００２０】
取得部２２は、取締情報提供装置１０から取締予定情報を取得する機能を有する。取得部２２は、所定の周期（例えば１週間に１回、毎月１回等）のタイミングで取締予定情報を取得するようにしてもよいし、取締予定情報が更新されたとの通知を取締情報提供装置１０から受けたタイミングで取締予定情報を取得するようにしてもよい。図３に、取締予定情報の一例を示す。「取締日時」は、交通取締活動が行われる日時を示し、「取締対象エリア」は、交通取締活動が実施されるエリアを示し、「取締種別」は、取締場所において実施される交通取締活動の種別を示す。「取締対象エリア」には、具体的な市町村名、又は市町村を特定するエリアコード等が格納されていてもよいし、地図上で取締対象エリアを特定するポリゴン情報が格納されていてもよい。また、「取締対象エリア」は、取締が行われる道路名又は道路を特定するコード等が格納されていてもよい。
【００２１】
抽出部２３は、出力装置３０の現在位置から所定の範囲内に含まれる取締対象エリア、又は、出発地から目的地までのルート上（道路上）に含まれる取締対象エリアにおいて、安全運転を促すメッセージを出力すべき地点を示す１以上の通知地点を、地図データから抽出する機能を有する。また、抽出部２３は、抽出した“１以上の通知地点”を示すデータを、通信部２１を介して出力装置３０に送信する。なお、抽出部２３は、ナビゲーション機能によりルート案内を行っていない場合に、出力装置３０の現在位置から所定の範囲内に含まれる取締対象エリアにおいて１以上の通知地点を抽出し、ナビゲーション機能によりルート案内を行う場合に、出発地から目的地までのルート上（道路上）に含まれる取締対象エリアにおいて１以上の通知地点を抽出するようにしてもよい。
【００２２】
また、抽出部２３は、地図データから通知地点の候補を検索し、検索した通知地点の候補のうち、取締対象エリアにおいて実施される取締種別に対応づけられる“通知地点の種別”に該当する通知地点の候補を、１以上の通知地点として抽出する。“通知地点の種別”とは、その通知地点がどのような地点なのかを意図しており、例えば、信号機が設置されている地点であること等を意図している。抽出部２３は、取締種別ごとに抽出すべき通知地点の種別が対応づけられた設定情報（以下、「抽出設定情報」と言う。）にアクセスすることで、取締種別に対応づけられる通知地点の種別を認識する。
【００２３】
図４に、抽出設定情報の一例を示す。抽出設定情報は、例えば管理者等により予め作成された情報を想定しており、任意に変更することができる。抽出設定情報は、制御装置２０内のメモリに格納されていてもよいし、制御装置２０に通信ネットワークを通じて接続された記憶装置に格納されていてもよい。「速度制限変化地点」は、速度制限が変化する地点（例えば、最高速度６０ｋｍ／ｈから４０ｋｍ／ｈに変化する地点等）を意味する。「ゾーン３０の入り口地点」は、ゾーン３０に設定されているエリアの入り口である地点を意味する。「信号機設置地点」は、信号機が設置されている地点を意味する。「一時停止地点」は、一時停止標識が設置されている地点を意味する。「進行方向通行区分設置地点」は、進行方向通行区分標識が設置されている地点を意味する。「進路変更禁止地点」は、進路変更禁止標識が設置されている地点を意味する。「踏切地点」は、踏切が存在する地点を意味する。「駐車禁止地点」は、駐車禁止に設定されている地点を意味する。「重量制限標識設置地点」は、重量制限標識が設置されている地点を意味する。
【００２４】
例えば、図４の例では、「交差点違反取締り」に対して「信号機設置地点」、「一時停止地点」、「進行方向通行区分設置地点」、「進路変更禁止地点」の４つが設定されている。これは、交差点違反取締りに対しては、地図データにおいて、信号機が設置されている地点、一時停止標識が設置されている地点、進行方向通行区分標識が設置されている地点、及び、進路変更禁止標識が設置されている地点を“通知地点”として抽出すべきことを示している。
【００２５】
また、図４の例において、「‐」が設定されている取締種別は、その取締種別が、地図データにおいて通知地点を特定可能な種別ではないことを意味している。抽出部２３は、抽出設定情報を参照することで、取締種別が、地図データにおいて通知地点を特定可能な種別であるか否かの判定を行い、特定可能な種別であると判定した場合に１以上の通知地点を抽出し、特定可能な種別ではない判定した場合には１以上の通知地点を抽出しないようにしてもよい。例えば、「シートベルト取締り」に対して「‐」が設定されている。これは、シートベルト取締りは取締対象エリア全域の任意の場所で行われるものであり、特定の地点で重点的に行われるような取締ではないと考えられるためである。しかしながら、「−」が設定されている取締種別は、図４を説明するための一例であり、他の取締種別と同様に、いずれかの通知地点の種別を設定することも可能である。
【００２６】
検索部２４は、ナビゲーション機能におけるルート検索を行う機能を有する。より具体的には、検索部２４は、利用者から出力装置３０を介して指示された出発地から目的地までのルートを検索し、検索したルートを出力装置３０に送信する。なお、本実施形態におけるナビゲーション機能は、従来技術を用いて実現するようにしてもよい。
【００２７】
図５は、出力装置３０の機能ブロック構成の一例を示す図である。本実施形態に係る出力装置３０は、通信部３１と、位置検出部３２と、出力部３３とを含む。通信部３１と、位置検出部３２と、出力部３３とは、出力装置３０においてメモリに記憶されているプログラムをプロセッサが実行することにより実現される。
【００２８】
通信部３１は、通信ネットワークＮを介して制御装置２０と相互に通信を行う機能を有する。
【００２９】
位置検出部３２は、出力装置３０が備えるＧＰＳ装置や車速センサー等を用いて現在位置を検出する機能を有する。位置検出部３２は、更に進行方向を検出するようにしてもよい。
【００３０】
出力部３３は、出力装置３０が備えるディスプレイ等に、地図及び位置検出部３２で検出された現在位置を表示する機能を有する。また。出力部３３は、制御装置２０の検索部２４で検索されたルートを地図上に表示する機能を有する。また、出力部３３は、位置検出部３２で検出された現在位置と、制御装置２０から通知された“１以上の通知地点”のうちいずれかの通知地点との間の距離が所定の距離まで近づいた場合に、安全運転を促すメッセージを出力する機能を有する。
【００３１】
前述したように、制御装置２０及び出力装置３０は、１つの情報処理装置からなる情報出力システムとして構成されていてもよい。この場合、制御装置２０が有する通信部２１、取得部２２、抽出部２３及び検索部２４、出力装置３０が有する通信部３１、位置検出部３２及び出力部３３が１つの情報処理装置に含まれるようにすることで実現可能である。
【００３２】
また、制御装置２０が備える検索部２４を出力装置３０に備える構成とするようにしてもよい。すなわち、ナビゲーション機能におけるルート検索機能を出力装置３０側に実装するようにしてもよい。
【００３３】
また、制御装置２０が有する抽出部２３及び出力装置３０が有する出力部３３を、まとめて“制御部”と定義してもよい。すなわち、制御部は、本実施形態において説明する抽出部２３が行う処理と出力部３３が行う処理の両方の処理を行う機能ブロックである。
【００３４】
＜処理手順＞
続いて、ナビゲーション機能によるルート案内を行わない場合とルート案内を行う場合とに分けて、本実施形態に係る情報出力システムが行う処理手順を説明する。
【００３５】
（ルート案内を行わない場合）
図６は、制御装置２０が行う処理手順（ルート案内無し）の一例を示すフローチャートである。図６に示すフローチャートは、例えば、ナビゲーション機能が起動され、出力装置３０にてルート案内を行わずに地図表示のみを行う状態で実行される。また、図６に示すフローチャートは、本実施形態で説明する機能（取締予定情報に基づき安全運転を促すメッセージを利用者に出力する機能）を終了するまで繰り返し行われる。
【００３６】
まず、抽出部２３は、取締予定情報から現在の日時に該当するデータを検索することで、現在の日時における取締対象エリア及び取締種別を取得する（Ｓ１０１）。続いて、抽出部２３は、出力装置３０の位置検出部３２により検出された現在位置を出力装置３０から取得する（Ｓ１０２）。続いて、抽出部２３は、地図上において出力装置３０の現在位置から所定の範囲内に存在する通知地点の候補を検索する（Ｓ１０３）。
【００３７】
通知地点の候補とは、具体的には、抽出設定情報の「通知地点の種別」に設定されている全ての通知地点の種別に該当する通知地点である。すなわち、抽出部２３は、通知地点の候補として、出力装置３０の現在位置から所定の範囲内に存在する、全ての速度制限変化地点、全てのゾーン３０の入り口地点、全ての信号機設置地点、全ての一時停止地点、全ての進行方向通行区分設置地点、全ての進路変更禁止地点、全ての踏切地点、全ての駐車禁止地点、全ての重量制限標識設置地点を地図データから検索する。なお、出力装置３０の現在位置から所定の範囲内とは、例えば、出力装置３０の現在位置を中心とする半径Ｎメートル（Ｎは正数であり、例えば、５００ｍ、１０００ｍ、２０００ｍ等）としてもよいし、出力装置３０の現在位置を中心とする半径Ｎメートルの範囲のうち出力装置３０の進行方向に向けて所定の範囲の角度（例えば進行方向を０度とした場合に、−４５度〜４５度の範囲や−９０度から９０度の範囲等）で区切った扇状の範囲としてもよい。
【００３８】
続いて、抽出部２３は、通知地点の候補のうち、取締対象エリアに含まれており、かつ、当該取締対象エリアにおいて実施される取締種別に対応づけられる通知地点の種別に該当する通知地点の候補を、１以上の通知地点として抽出する。また、抽出部２３は、抽出した１以上の通知地点を示すデータ（以下、「通知地点データ」と言う。）を出力装置３０に送信する（Ｓ１０４）。
【００３９】
例えば、ステップＳ１０３における所定の範囲は、出力装置３０の現在位置を中心とする半径１０００メートルであり、取締対象エリアで行われる取締種別は“速度違反取締り”であると仮定する。この場合、抽出部２３は、出力装置３０の現在位置を中心とする半径１０００メートルの範囲かつ取締対象エリアの両方に該当する範囲に存在する「速度制限変化地点」及び「ゾーン３０の入り口地点」を、通知地点として抽出することになる。
【００４０】
抽出部２３が出力装置３０に送信する通知地点データには、例えば、通知地点ごとに、通知地点の位置座標（例えば緯度及び経度）、取締種別（例えば、一時停止違反取締りに対応する通知地点なのか、交差点取締りに対応する通知地点なのか等）、通知地点が存在する道路の道路リンクＩＤ、及び、通知地点が存在する道路の種別（一般道路又は高速道路のいずれか一方）が含まれていてもよい。道路リンクとは、道路網を表現する際の結節点（交差点や道路の行き止まり点等）を結ぶ道路区間を意味し、道路リンクＩＤとは、結節点を結ぶ道路区間を地図上で一意に特定するＩＤを意味する。通知地点が、道路上のいずれか一方の進行方向にのみ存在する場合（例えば一時停止標識が存在する地点が上り車線にのみ存在する場合等）、通知地点データには、更に、通知地点ごとに、当該通知地点が存在する道路の進行方向を示すフラグが含まれていてもよい。
【００４１】
ステップＳ１０１で取得した取締対象エリア及び取締種別が複数存在する場合、抽出部２３は、それぞれについてステップＳ１０３及びステップＳ１０４の処理手順を行う。
【００４２】
また、抽出設定情報において、取締対象エリアで行われる取締種別に対応する「通知地点の種別」に「‐」が設定されている場合、すなわち、取締対象エリアで行われる取締種別が、地図データにおいて通知地点を特定可能な種別ではない場合、抽出部２３は、その取締種別についてはステップＳ１０４の処理手順を省略する（通知地点の抽出を行わない）。
【００４３】
続いて、抽出部２３は、本実施形態で説明する機能を終了する場合は処理を終了し、終了しない場合はステップＳ１０１に戻り処理を続ける（Ｓ１０５）。
【００４４】
以上説明したフローチャートについて、抽出部２３は、ステップＳ１０１において、取締予定情報から現在の日付に該当するデータを検索することで、当日における取締対象エリア及び取締種別を取得するようにしてもよい。また、本実施形態で説明する機能を終了しない場合（Ｓ１０５−ＮＯ）、日付を跨ぐ場合にのみステップＳ１０１に戻るようにして、日付を跨がない場合はステップＳ１０２に戻るようにしてもよい。取締予定情報は頻繁に更新される情報ではないことから、抽出部２３が取締予定情報にアクセスする頻度を１日１回とすることができ、制御装置２０の処理負荷を削減することができる。
【００４５】
また、抽出部２３は、ステップＳ１０２において、出力装置３０が所定の距離を移動したことを把握してからステップＳ１０３に移行するようにしてもよい。
【００４６】
以上説明したフローチャートでは、抽出部２３は、ステップＳ１０３において取締対象エリア全体について通知地点の候補を検索するのではなく、地図上において出力装置３０の現在位置から所定の範囲内に存在する通知地点の候補のみを検索するようにした。これにより、現在位置から遠い場所であり実際にその場所まで移動するのか分からないような範囲については通知地点の候補の検索を行わないようにすることができ、制御装置２０の処理負荷を軽減することが可能になる。
【００４７】
図７は、出力装置３０が行う処理手順（ルート案内無し）の一例を示すフローチャートである。図７に示すフローチャートは、例えば、ナビゲーション機能が起動され、出力装置３０にてルート案内を行わずに地図表示のみを行う状態で実行される。また、図７に示すフローチャートは、本実施形態で説明する機能（取締予定情報に基づき安全運転を促すメッセージを利用者に出力する機能）を終了するまで繰り返し行われる。
【００４８】
まず、位置検出部３２は、ＧＰＳ等を用いて出力装置３０の現在位置を検出する（Ｓ２０１）。続いて、出力部３３は、制御装置２０から受信した通知地点データに含まれる１以上の通知地点のうち、出力装置３０の現在位置からの距離が所定の距離以内（例えば、３０ｍ、５０ｍ、１００ｍ、１５０ｍ等）である通知地点が存在するか否かを判定する（Ｓ２０２）。検出された現在位置からの距離が所定の距離以内である通知地点が存在する場合はステップＳ２０３に進み、存在しない場合はステップＳ２０１に進む。続いて、出力部３３は、安全運転を促すメッセージを出力する（Ｓ２０３）。具体的には、出力部３３は、出力装置３０が備える画面から、例えば“安全運転に心がけて下さい”といったメッセージを出力するようにしてもよいし、出力装置３０が備えるスピーカーから、例えば“安全運転に心がけて下さい”といった音声又はアラーム音を出力するようにしてもよい。
【００４９】
続いて、出力部３３は、本実施形態で説明する機能を終了する場合は処理を終了し、終了しない場合はステップＳ２０１に戻り処理を続ける（Ｓ２０４）。
【００５０】
なお、ステップＳ２０２における所定の距離は、出力装置３０が走行中の道路の種別（一般道路又は高速道路のいずれか一方）、出力装置３０が走行中の道路の最高速度、又は、出力装置３０の走行速度に応じて異なる距離に切り替わるようにしてもよい。例えば、出力装置３０が高速道路を走行している場合は、所定の距離を１５０ｍとし、一般道路を走行している場合は、所定の距離を５０ｍにするといったように切り替えるようにしてもよい。これにより、出力装置３０は、安全運転を促すメッセージを、利用者に対して適切なタイミングで出力することが可能になる。
【００５１】
また、出力部３３は、制御装置２０から取得した通知地点データにおいて、特定の距離内（例えば５０ｍ以内等）に複数の通知地点が存在している場合、ステップＳ２０３において、これらの複数の通知地点ごとに安全運転を促すメッセージを出力するのではなく、これらの複数の通知地点に対して安全運転を促すメッセージをまとめて出力するようにしてもよい。これにより、例えば道路上に複数の通知地点が短い間隔で並んでいるような場合に、安全運転を促すメッセージが短い周期で繰り返し出力されてしまうことを抑止することが可能になる。
【００５２】
また、位置検出部３２は、ステップＳ２０１において、ＧＰＳ及び／又はジャイロ等を用いることで出力装置３０が道路を走行している方向を検出し、出力部３３は、ステップＳ２０３おいて、通知地点が存在する道路上の進行方向と、位置検出部３２で検出された進行方向とが一致する場合に、安全運転を促すメッセージを出力するようにしてもよい。
【００５３】
より具体的には、出力部３３は、通知地点データに含まれる、通知地点が存在する道路の進行方向を示すフラグを参照することで、通知地点が存在する道路上の進行方向を認識し、認識した進行方向と位置検出部３２で検出された進行方向とが一致する場合に、安全運転を促すメッセージを出力するようにしてもよい。
【００５４】
また、他の方法として、位置検出部３２は、図６のステップＳ１０２において、制御装置２０に対し、検出した現在位置と共に進行方向を示す情報を通知しておくようにしてもよい。また、図６のステップＳ１０３において、制御装置２０の抽出部２３は、通知地点の候補を検索する際に、道路上のいずれか一方の進行方向にのみ存在する通知地点については、ステップＳ１０２で通知された進行方向と一致する通知地点に絞って検索するようにしてもよい。これにより、出力装置３０に送信される通知地点データには、位置検出部３２で検出された進行方向と一致する通知地点のみが含まれることになるため、通知地点データのデータ量を削減することができる。
【００５５】
通知地点が存在する道路上の進行方向と位置検出部３２で検出された進行方向とが一致する場合に安全運転を促すメッセージを出力するようにしたことで、例えば下り車線を走行中であるにも関わらず、上り車線にのみ存在する通知地点について安全運転を促すメッセージが出力されてしまうといったことを抑止することが可能になる。
【００５６】
また、出力部３３は、ステップＳ２０３において、通知地点データに含まれる通知地点ごとの取締種別を参照することで、通知地点に対応する取締種別ごとに安全運転を促すメッセージを変化させるようにしてもよい。例えば、出力部３３は、一時停止違反取締りに対応する通知地点である場合には、“一時停止標識に注意してください”といったメッセージを出力し、速度違反取締りに対応する通知地点である場合には、“速度に注意してください”といったメッセージを出力するようにしてもよい。これにより、利用者に対し、より具体的な注意喚起を行うことが可能になる。
【００５７】
（ルート案内を行う場合）
図８は、制御装置２０が行う処理手順（ルート案内有り）の一例を示すフローチャートである。図８に示すフローチャートは、例えば、ナビゲーション機能が起動され、出力装置３０にてルート検索が行われる場合に実行される。
【００５８】
まず、抽出部２３は、取締予定情報から現在の日時に該当するデータを検索することで、現在の日時における取締対象エリア及び取締種別を取得する（Ｓ３０１）。続いて、検索部２４は、利用者から出力装置３０を介して指示された出発地から目的地までのルートを検索する（Ｓ３０２）。続いて、抽出部２３は、ルート上に存在する通知地点の候補を検索する（Ｓ３０３）。続いて、抽出部２３は、通知地点の候補のうち、取締対象エリアに含まれており、かつ、当該取締対象エリアにおいて実施される取締種別に対応づけられる通知地点の種別に該当する通知地点の候補を、１以上の通知地点として抽出する。また、抽出部２３は、通知地点データを出力装置３０に送信する（Ｓ３０４）。
【００５９】
図６のステップＳ１０３と同様に、抽出部２３が出力装置３０に送信する通知地点データには、例えば、通知地点ごとに、通知地点の位置座標、取締種別、通知地点が存在する道路の道路リンクＩＤ、及び、通知地点が存在する道路の種別が含まれていてもよい。通知地点が、道路上のいずれか一方の進行方向にのみ存在する場合、通知地点データには、更に、通知地点ごとに、当該通知地点が存在する道路の進行方向を示すフラグが含まれていてもよい。
【００６０】
ステップＳ３０１で取得した取締対象エリア及び取締種別が複数存在する場合、抽出部２３は、それぞれについてステップＳ３０３及びステップＳ３０４の処理手順を行う。
【００６１】
また、抽出設定情報において、取締対象エリアで行われる取締種別に対応する「通知地点の種別」に「‐」が設定されている場合、すなわち、取締対象エリアで行われる取締種別が、地図データにおいて通知地点を特定可能な種別ではない場合、抽出部２３は、その取締種別についてはステップＳ３０４の処理手順を省略する（通知地点の抽出を行わない）。
【００６２】
ルート案内を行う場合に出力装置３０が行う処理手順は、図７のフローチャートにおいて、ステップＳ２０４を、ルート案内が終了した場合に処理を終了するように置き換えたものと同一であるため説明は省略する。なお、ルート案内を行う場合において、出力部３３は、駐車違反取締りに対応する通知地点については、ルート案内において立ち寄り地点の周辺（例えば立ち寄り地点を中心とした所定の範囲等）に通知地点が含まれる場合に、安全運転を促すメッセージを出力するようにしてもよい。
【００６３】
以上説明した実施形態は、本発明の理解を容易にするためのものであり、本発明を限定して解釈するためのものではない。実施形態で説明したフローチャートは、処理に矛盾が生じない限り順序を入れ替えることが可能である。また、実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００６４】
１０…取締情報提供装置、２０…制御装置、２１…通信部、２２…取得部、２３…抽出部、２４…検索部、３０…出力装置、３１…通信部、３２…位置検出部、３３…出力部
【図１】
2018165695.tif 000003
【図２】
2018165695.tif 000004
【図３】
2018165695.tif 000005
【図４】
2018165695.tif 000006
【図５】
2018165695.tif 000007
【図６】
2018165695.tif 000008
【図７】
2018165695.tif 000009
【図８】
2018165695.tif 000010